(57)【特許請求の範囲】
【請求項１】
仕切部材により仕切られた空間内において、仕切部材に設けられた開口から手袋をつけた手を挿入して作業する際に、前記手袋にピンホールが有るか否かを検査するリークテスターであって、
前記手袋の挿入口を取り付ける取付部を有し、前記手袋の挿入口を閉鎖する閉鎖手段と、
前記手袋の中に気体を注入する第１の注入手段と、
前記取付部の外周面に設けられ、内部に流体の流路を有し、表面の少なくとも一部が伸縮性を有する材料により構成された伸縮部と、
この伸縮部の流路に流体を注入する第２の注入手段とを備え、
前記伸縮部は、前記取付部の円周方向に沿って形成された２条の突条部を有し、この２条の突条部の間に前記流路が形成され、この流路及び前記２条の突条部を覆うように伸縮性を有する材料よりなる被覆部材が前記２条の突条部の一方の外側から他方の外側に架け渡されて配設されており、前記流路に流体が注入されることにより前記被覆部材が外側に膨張し、前記仕切部材に対して前記手袋を密着させることが可能である
ことを特徴とするリークテスター。
【請求項２】
前記第１の注入手段は、ペダルを踏むことにより、前記手袋の中に気体を注入することができるように構成され、
前記第２の注入手段は、ペダルを踏むことにより、前記伸縮部の流路に流体を注入することができるように構成された
ことを特徴とする請求項１記載のリークテスター。
【請求項３】
仕切部材により仕切られた空間内において、仕切部材に設けられた開口から手袋をつけた手を挿入して作業する際に、前記手袋にピンホールが有るか否かを検査する手袋の検査方法であって、
請求項１又は請求項２に記載のリークテスターを用い、前記リークテスターの取付部に前記手袋の挿入口を取り付けて前記仕切部材の開口に前記手袋を挿入し、前記伸縮部の流路に流体を注入して前記伸縮部を外側に膨張させ、前記手袋を前記仕切部材に対して密着させたのち、前記手袋の中に気体を注入することにより、ピンホールの有無を判断することを特徴とする手袋の検査方法。
【発明の詳細な説明】
【技術分野】
【０００１】
本発明は、手袋のピンホールを検査するリークテスター及び手袋の検査方法に関する。
【背景技術】
【０００２】
薬品などの不純物の混入が問題となる製品の製造において、手作業が必要となる場合には、例えば、仕切部材により仕切られた空間内で、仕切部材に設けられた開口から手袋をつけた手を挿入して作業が行われている。その際、手袋にピンホールが有ると、製品に不純物が混入してしまうので、使用する前に、ピンホールが有るか否かの検査が行われる。手袋の検査は、例えば、手袋を取り付ける取付部リングが設けられた閉鎖部により手袋の挿入口を閉鎖し、取付部リングに取り付けた手袋の上にＯリングを嵌め、手袋を仕切部材の開口に挿入して密閉したのち、手袋の中に空気を注入し、手袋の中の圧力が低下するか否かを確認することにより行っている。
【先行技術文献】
【特許文献】
【０００３】
【特許文献１】特開平７−１５１６３５号公報
【発明の概要】
【発明が解決しようとする課題】
【０００４】
しかしながら、この方法では、取付部リングに取り付けた手袋の上にＯリングを嵌めなければならず、手袋の取り付け作業が面倒で時間がかかるという問題があった。特に、この取り付け作業は、不純物の混入を防ぐために手袋をして行うのでより困難であり、作業には３０分以上も時間がかかっていた。更に、検査が終わった後は、手袋を仕切部材の開口から取り出さずに、取付部リングから取り外す必要があるが、Ｏリングがあるために、この取り外し作業も大変であるという問題もあった。
【０００５】
本発明は、このような問題に基づきなされたものであり、簡単に手袋を取り付け取り外しすることができ、簡単にピンホールの検査をすることができるリークテスター及び手袋の検査方法を提供することを目的とする。
【０００６】
なお、特許文献１には、手袋の中に気体を封入して膨らませ、その漏洩を検出してピンホールの有無を検知する方法において、その製品の被検査面に対向する位置に超音波検出器を設け、漏洩気流の有無をする検査方法が記載されている。しかし、本願発明とは、具体的な構成及び検査方法が異なっている。
【課題を解決するための手段】
【０００７】
本発明のリークテスターは、仕切部材により仕切られた空間内において、仕切部材に設けられた開口から手袋をつけた手を挿入して作業する際に、手袋にピンホールが有るか否かを検査するものであって、手袋の挿入口を取り付ける取付部を有し、手袋の挿入口を閉鎖する閉鎖手段と、手袋の中に気体を注入する第１の注入手段と、取付部の外周面に設けられ、内部に流体の流路を有し、表面の少なくとも一部が伸縮性を有する材料により構成された伸縮部と、この伸縮部の流路に流体を注入する第２の注入手段とを備え、伸縮部は、流体の注入により外側に膨張し、仕切部材に対して手袋を密着させることが可能なものである。
【０００８】
本発明の手袋の検査方法は、仕切部材により仕切られた空間内において、仕切部材に設けられた開口から手袋をつけた手を挿入して作業する際に、手袋にピンホールが有るか否かを検査するものであって、本発明のリークテスターを用い、リークテスターの取付部に手袋の挿入口を取り付けて仕切部材の開口に手袋を挿入し、伸縮部の流路に流体を注入して伸縮部を外側に膨張させ、手袋を仕切部材に対して密着させたのち、手袋の中に気体を注入することにより、ピンホールの有無を判断するものである。
【発明の効果】
【０００９】
本発明によれば、取付部の外周面に伸縮部を設け、伸縮部の流路に流体を注入することにより膨張させ、手袋を仕切部材に対して密着させることができるようにしたので、Ｏリングを嵌める必要がなく、手袋を簡単に取り付けることができる。また、取り外す際には、伸縮部の流路から流体を排出して収縮させることにより、手袋を仕切り部材の開口から取り出さずに、リークテスターのみを簡単に取り外すことができる。よって、簡単に手袋を取り付け取り外しすることができ、簡単にピンホールの検査をすることができる。
【００１０】
また、第１の注入手段を、足でペダルを踏むことにより、手袋の中に気体を注入することができるように構成し、第２の注入手段を、足でペダルを踏むことにより、流路の中に流体を注入することができるように構成すれば、閉鎖手段を手で支えたまま、足でペダルを踏むことにより作業を行うことができる。よって、簡便に作業を行うことができる。
【図面の簡単な説明】
【００１１】
【図１】本発明の一実施の形態に係るリークテスターの構成を表す図である。
【図２】図１に示したリークテスターのＩＩ−ＩＩ線に沿った端面図である。
【図３】図１に示したリークテスターのＩＩＩ−ＩＩＩ線に沿った端面図である。
【図４】図１に示したリークテスターの使用状態を表す図である。
【図５】図１に示したリークテスターの使用状態を表す他の図である。
【発明を実施するための形態】
【００１２】
以下、本発明の実施の形態について図面を参照して詳細に説明する。
【００１３】
図１は、本発明の一実施の形態に係るリークテスター１０の構成を表すものである。図２は、図１に示したＩＩ−ＩＩ線に沿った端面構造を表すものであり、図３は、図１に示したいＩＩＩ−ＩＩＩ線に沿った端面構造を表すものである。図４は、図１に示したリークテスター１０に手袋２０を取り付けた状態を表すものであり、図５は、リークテスター１０に取り付けた手袋２０を仕切部材３０の開口３１に挿入した状態を表すものである。
【００１４】
このリークテスター１０は、仕切部材３０により仕切られた空間内において、仕切部材３０に設けられた開口３１から手袋２０をつけた手を挿入して作業する際に、手袋２０にピンホールが有るか否かを検査するものである。検査する手袋２０は、例えば、合成樹脂製又はゴム製のものである。このリークテスター１０は、例えば、検査対象の手袋２０を取り付けて用いるものであり、手袋２０の挿入口２１を閉鎖する閉鎖手段である閉鎖部材１１を備えている。閉鎖部材１１は、例えば、プラスチックにより構成されており、手袋２０の挿入口２１を閉鎖する円盤状の蓋部１１Ａを有している。
【００１５】
蓋部１１Ａの厚み方向における一方の外周部、具体的には、手袋２０を挿入する側と反対側の外周部には、例えば、蓋部１１Ａを径方向に拡大させるように突出させた鍔部１１Ｂが形成されている。鍔部１１Ｂよりも蓋部１１Ａの厚み方向における他方側の外周部は、例えば、手袋２０の挿入口２１を取り付ける取付部１１Ｃとなっている。取付部１１Ｃの径は、仕切部材３０の開口３１の径よりも小さく形成されており、鍔部１１Ｂの径は、仕切り部材３０の開口３１の径よりも大きく形成されている。これにより、取付部１１Ｃを仕切部材３０の開口３１に挿入した時に、鍔部１１Ｃが仕切部材３０の外側面に接触し、取付部１１Ｃを開口３１の内壁に対向する位置に挿入することができるようになっている。
【００１６】
蓋部１１Ａには、例えば、蓋部１１Ａを厚み方向に貫通するように貫通孔１１Ｄが設けられている。貫通孔１１Ｄには、例えば、ビニール管などの配管１２Ａを介して、手袋２０の中に気体を注入する第１の注入手段１２が配設されている。第１の注入手段１２は、例えば、足でペダルを踏むことにより、貫通孔１１Ｄに気体を送り、手袋２０の中に気体を注入することができるように構成されている。手袋２０の中に注入する気体としては、例えば、空気が用いられる。配管１２Ａには、また、手袋２０の中に注入した気体を排出する第１の排出手段１３が配設されている。蓋部１１Ａには、また、例えば、取付部１１Ｃに取り付けた手袋２０の中の圧力を測定する圧力計などの圧力測定手段１４が配設されている。
【００１７】
取付部１１Ｃの外周面には、内部に流体の流路１５Ａを有する伸縮部１５が設けられている。伸縮部１５は、例えば、表面の少なくとも一部が伸縮性を有する材料により構成されており、流路１５Ａに流体が注入されることにより、表面が外側に膨張し、仕切部材３０の開口３１に対して手袋２０を密着させることができるようになっている。伸縮部１５は、例えば、取付部１１Ｃの円周方向に沿って形成された２条の突条部１５Ｂを有し、この２条の突条部１５Ｂの間に流路１５Ａが形成されている。流路１５Ａの上には、例えば、伸縮性を有する材料よりなる被覆部材１５Ｃが、２条の突条部１５Ｂに架け渡されて流路１５Ａを覆うように配設されている。被覆部材１５Ｃは、例えば、シリコーンゴムにより構成されている。
【００１８】
流路１５Ａには、例えば、蓋部１１Ａに形成された連通孔１１Ｅが連通されている。連通孔１１Ｅには、例えば、ビニール管などの配管１６Ａを介して、流路１５Ａの中に流体を注入する第２の注入手段１６が配設されている。第２の注入手段１６は、例えば、足でペダルを踏むことにより、連通孔１１Ｅに流体を送り、流路１５Ａの中に流体を注入することができるように構成されている。流路１５Ａの中に注入する流体としては、例えば、空気が用いられる。配管１６Ａには、また、流路１５Ａから流体を排出する排出手段１７が配設されている。
【００１９】
また、閉鎖部材１１には、例えば、厚み方向における一方の表面に、一対の取っ手１８が設けられている。
【００２０】
このリークテスター１０を用い、次のようにして、手袋２０にピンホールが有るか否かを検査する。まず、例えば、図４に示したように、リークテスター１０の取付部１１Ｃに手袋２０の挿入口２１を取り付ける。次いで、例えば、図５に示したように、リークテスター１０の取っ手１８を両手で持ち、リークテスター１０に取り付けた手袋２０を仕切部材３０の開口３１に挿入する。その際、リークテスター１０の鍔部１１Ｂを仕切部材３０の外側面に当接させ、伸縮部１５を開口３１の内壁に対向させる。続いて、例えば、第２の注入手段１６のペダルを足で踏むことにより、伸縮部１５の流路１５Ａに流体を注入し、伸縮部１５の被覆部材１５Ｃを外側に膨張させ、伸縮部１５の外側に位置する手袋２０を開口３１に対して密着させる。
【００２１】
そののち、例えば、第１の注入手段１２のペダルを足で踏むことにより、手袋２０の中に気体を注入し、手袋２０の中の圧力を大気圧よりも大きい所定の圧力とする。次いで、例えば、所定の時間放置し、圧力測定手段１４により手袋２０の中の圧力を観察する。その結果、圧力の低下がみられた場合には、ピンホール有り、圧力の低下がみられなかった場合には、ピンホール無しと判断する。ピンホール有りの場合には、例えば、第１の排出手段１３により手袋２０の中の気体を排出すると共に、第２の排出手段１７により伸縮部１５の流路１５Ａから流体を排出して伸縮部１５を収縮させ、手袋２０を取付部１１Ｃに取り付けたまま開口３１から取り出す。ピンホール無しの場合には、例えば、第１の排出手段１３により手袋２０の中の気体を排出すると共に、第２の排出手段１７により伸縮部１５の流路１５Ａから流体を排出して伸縮部１５を収縮させ、手袋２０を取付部１１Ｃから取り外し、手袋２０を開口３１から取り出さずに、リークテスター１０を取り除く。
【００２２】
このように、本実施の形態によれば、取付部１１Ｃの外周面に伸縮部１５を設け、伸縮部１５の流路１５Ａに流体を注入することにより膨張させ、手袋２０を仕切部材３０に対して密着させることができるようにしたので、Ｏリングを嵌める必要がなく、手袋２０を簡単に取り付けることができる。また、取り外す際には、伸縮部１５の流路１５Ａから流体を排出して収縮させることにより、手袋２０を仕切り部材３０の開口３１から取り出さずに、リークテスター１０のみを簡単に取り外すことができる。よって、簡単に手袋２０を取り付け取り外しすることができ、簡単にピンホールの検査をすることができる。
【００２３】
また、第１の注入手段１２を、足でペダルを踏むことにより、手袋２０の中に気体を注入することができるように構成し、第２の注入手段１６を、足でペダルを踏むことにより、流路１５Ａの中に流体を注入することができるように構成すれば、閉鎖部材１１を手で支えたまま、足でペダルを踏むことにより作業を行うことができる。よって、簡便に作業を行うことができる。
【００２４】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００２５】
手袋にピンホールが有るか否かを検査する際に用いることができる。
【符号の説明】
【００２６】
１０…リークテスター、１１…閉鎖部材（閉鎖手段）、１１Ａ…蓋部、１１Ｂ…鍔部、１１Ｃ…取付部、１１Ｄ…貫通孔、１１Ｅ…連通孔、１２…第１の注入手段、１２Ａ…配管、１３…第１の排出手段、１４…圧力測定手段、１５…伸縮部、１５Ａ…流路、１５Ｂ…突条部、１５Ｃ…被覆部材、１６…第２の注入手段、１６Ａ…配管、１７…第２の排出手段、１８…取っ手、２０…手袋、２１…挿入口、３０…仕切部材、３１…開口、
【要約】
【課題】単に手袋を取り付け取り外しすることができ、簡単にピンホールの検査をすることができるリークテスター及び手袋の検査方法を提供する。
【解決手段】手袋２０の挿入口２１を閉鎖する閉鎖部材１１を備えている。閉鎖部材１１の外周部には手袋２０の取付部１１Ｃが設けられている。取付部１１Ｃの外周面には、内部に流体の流路を有し、表面の少なくとも一部が伸縮性を有する材料により構成された伸縮部１５が形成されている。流路に流体を注入することにより、伸縮部１５を膨張させ、取付部１１Ｃに取り付けた手袋２０を仕切部材３０の開口３１に密着させる。
【選択図】図５【図１】
0005981608.tif 000002
【図２】
0005981608.tif 000003
【図３】
0005981608.tif 000004
【図４】
0005981608.tif 000005
【図５】
0005981608.tif 000006